(57)【特許請求の範囲】
【請求項１】
仕切壁により分離され、下方へ傾斜する複数列の玉通路によってパチンコ玉を整列させて移動させるパチンコ玉通路の仕分け装置において、
前記各玉通路は、それぞれパチンコ玉が前後方向に１列に整列した状態で移動されるように設定され、
前記仕切壁の上流側に前記玉通路に対して相対的に上り坂となる傾斜面を設け、
前記仕切壁の上面所定位置に、パチンコ玉の移動方向に沿って玉通路の底面に向けて下り坂となる斜面を形成し、そこから再び上り坂斜面からなる切欠部を有する仕分け部を設けるとともに、その仕分け部の下り坂となる斜面の傾斜角度を前記玉通路の傾斜角度より大きく設定し、
前記傾斜面の上を移動するパチンコ玉を前記仕分け部の下り坂となる斜面を利用して加速落下させて、その仕切壁で仕切られたいずれかの玉通路に仕分けされるようにしたことを特徴とするパチンコ玉通路の仕分け装置。
【請求項２】
仕切壁により分離され、下方へ傾斜する複数列の玉通路によってパチンコ玉を整列させて移動させるパチンコ玉通路の仕分け装置において、
前記各玉通路は、それぞれパチンコ玉が前後方向に１列に整列した状態で移動されるように設定され、
前記仕切壁は、前記玉通路上を少なくとも上下２個で重なって移動してくるパチンコ玉の通過を許容する高さを有するとともに、その仕切壁の上面の一部に切欠部を有する仕分け部を設け、
その切欠部は、上に重なっているパチンコ玉が左右いずれかの玉通路へ移動するのを許容し、前記玉通路の底面上を移動する下のパチンコ玉が別の玉通路へ移動するのを許容しないように設定したことを特徴とするパチンコ玉通路の仕分け装置。
【請求項３】
複数並列に配置された仕切壁により分離され、下方へ傾斜する３列以上の玉通路によりパチンコ玉を整列させて移動させるパチンコ玉通路の仕分け装置において、
前記各玉通路は、それぞれパチンコ玉が前後方向に１列に整列した状態で移動されるように設定され、
前記仕切壁は、前記玉通路上を少なくとも上下２個で重なって移動してくるパチンコ玉の通過を許容する高さを有するとともに、その仕切壁の上面の一部に切欠部を有する仕分け部を設け、
その切欠部は、上に重なっているパチンコ玉が左右いずれかの玉通路へ移動するのを許容し、前記玉通路の底面上を移動する下のパチンコ玉が別の玉通路へ移動するのを許容しないように設定し、
かつ、前記各仕切壁に設けた前記切欠部の形成位置を、隣接する仕切壁でパチンコ玉の移動方向に沿って前後にずらしたことを特徴とするパチンコ玉通路の仕分け装置。
【請求項４】
前記切欠部に対向する壁面に、前記上に重なっているパチンコ玉にのみ接触する突起部を設けたことを特徴とする請求項２または３に記載のパチンコ玉通路の仕分け装置。
【請求項５】
前記玉通路は、パチンコ玉を受ける玉通路板と、その玉通路板の両側に位置し、前記パチンコ玉の横方向の移動を抑制する前記仕切壁と側壁を備えるとともに、その玉通路板と前記仕切壁及び側壁との間には隙間が形成され、その隙間を介して異物を落下可能としており、
かつ、前記仕切壁及び前記側壁の下端位置を前記玉通路板の上端よりも上側に位置した部分を設けたことを特徴とする請求項１〜４のいずれか１項に記載のパチンコ玉通路の仕分け装置。
【発明の詳細な説明】
【０００１】
【発明の属する技術分野】
本発明は、パチンコ玉通路の仕分け装置に関するものである。
【０００２】
【従来の技術】
一般のパチンコ店では、顧客の利用する玉計数機が店内の要所要所に配設されている。これに対して最近では、パチンコ台の１台１台に玉計数機を付設する提案がある。一例を示すと、図１のように、各パチンコ台１の下皿２の下方のカウンター部分に台毎計数機３を設置する。この台毎計数機３は、下皿２に設けた玉排出口（シャッタ）２ａの下方から落下するパチンコ玉を受け取る受け皿５と、その受け皿５に貯留されたパチンコ玉を計数する計数部６とを備えている。この計数部６は、隣接するパチンコ台１間に設けられる台サンド４内にセットされる。
【０００３】
このように台毎計数機３の下流側は、台サンド４の下方に挿入されて固定されている。そして、台サンド４内に挿入された部分に、計数センサが実装され、台サンド４側へ排出されるパチンコ玉の個数を計数するようになっている。そして、計数した玉は台サンド４と呼ばれる台間機構部に取り込んだ後、パチンコ玉は、この台間機構部を介して「島（シマ）」内を巡る配管路（パチンコ玉を流す通路）に戻される。そして、この台毎計数機（パチンコ台毎の玉計数機）は、個々のパチンコ台１の形態に合わせて設計されている。
【０００４】
すなわち、顧客がプレーをしながら台毎計数機を取り扱い、大当り時の大量の出玉を自動計数させてパチンコ台の内部機構にパチンコ玉を帰すようにする。より具体的には複数のパチンコ台を配列して構成される島内にパチンコ玉を戻すように構成する。
【０００５】
これにより、パチンコ玉は島内へ還流されるので、直接その島を構成する各パチンコ台へ供給する当り玉（賞玉）等に使用できるようになる。そして、計数された玉は電子情報として管理され、顧客の要望に応じて、パチンコ玉を再び顧客に発給したり、景品交換のための玉預かり証（ＩＣカードなど）を発給したりする。
【０００６】
また、これにより大当たりの際にドル箱をあわてて持ってくる必要がなく、ドル箱を持ってくるのが遅れて下皿が満杯になってしまって当り玉が排出されなくなり、せっかくの大当りの権利が途中で消えてしまうという事態もなくなる。
【０００７】
上記装置構成をより詳しく説明すると、パチンコ台の下皿の玉排出口の下方に受け皿５をあてがうように配置し、計数部６はパチンコ台間の内部機構に結合される。受け皿５の底面には、帯状に伸びる２本のスリット５ａが形成され、受け皿５内に供給されたパチンコ玉は、そのスリット５ａに案内されて２列に並んで計数部６内に送られる。そして、受け皿５の出口側には、スリット５ａ間に仕切壁５ｂが起立形成され、確実に２列に分離するようにし、しかも、排出側上方には、可動ガイド５ｃを設け、パチンコ玉が上下に並んで計数部６側へ送られるのを阻止する。
【０００８】
上記したように、受け皿５に収容されたパチンコ玉は、傾斜した玉通路７に従って徐々に整列させられながら計数部６へと流動する。計数部６の２列分の玉通路７があり、各玉通路７にはそれぞれ完全に１列に整列されてパチンコ玉が移動する。２つの玉通路７にそれぞれ計数用の玉センサ８が組み込まれていている。上記したパチンコ玉の仕分け処理を具体的に図示して説明すると、図３，図４のようになる。通常は、上記したようにスリット５ａに沿って移動してきたパチンコ玉８ａが、そのまま仕切壁５ｂで仕切られた各玉通路７を通過した後、計数部６に至る。一方、パチンコ玉の中には、最初からスムーズに各玉通路７のいずれかに仕分けされず、図中符号８ｂで示すパチンコ玉のように一旦仕切壁５ｂの上を移動するものもある。すると、仕切壁５ｂは玉通路７の下面を基準とすると相対的に上り坂となっているので、パチンコ玉８ｂは、その上り坂を昇っていく。すると、パチンコ玉８ｂは、玉通路７から離れ、原則として仕切壁５ｂの上面及び下流側のパチンコ玉８ａと接触することになるので、進行方向横方向には移動可能となっている。よって重心バランスの関係から、最終的にはいずれかの玉通路７に落下し、以後、その玉通路７上を移動することになる。
【０００９】
【発明が解決しようとする課題】
しかしながら、上記した従来の装置では、以下に示す問題があった。すなわち、仮に仕切壁５ｂの上面が、地面を基準としても上り坂であるとすると、仕切壁５ｂ上を駆け昇って移動するようなことはなく、進行方向後方に位置する他のパチンコ玉８ａから受けることになる。つまり、玉通路７は下方傾斜状に形成されているので、その玉通路７内を下降移動しながら前進する。従って、その直前方に位置するパチンコ玉８ｂを仕切壁５ｂ上に押し上げながら移動することになる。そこで、パチンコ玉８ｂに与える搬送力を大きくし、確実に仕切壁５ｂの上面に達するとともにいずれかの玉通路７へ落下させることになる。
【００１０】
さらに、係る玉通路７への落下位置は、仕切壁５ｂをある程度の高さまで上昇した時に落下することになる。従って、玉通路７の距離を短くするためには、図４中二点鎖線で示すように、仕切壁５ｂの上流側の傾斜角度を急にし、一気にパチンコ玉８ｂを上昇移動させて仕分けすればよくなる。
【００１１】
そして、仕切壁５ｂの上流側の傾斜面を急にすると、それだけパチンコ玉８ｂを押し上げる力が必要となるので、玉通路７の傾斜角度を大きくし、パチンコ玉８ａで発生するパチンコ玉８ｂに対する押し上げ力・搬送力を大きくする必要がある。しかしながら、下皿２の下方空間の距離は、決まっている（パチンコ台により異なるものの、あまり広くない一定の幅内となっている）ため、傾斜角度を大きくとれない場合もある。そして、玉通路７の傾斜角度が小さいと、パチンコ玉８ｂを押す力が弱くなるので、上記したように仕切壁５ｂの上流側の傾斜面の角度を急にすると、パチンコ玉８ｂが持ち上がらずに玉詰まりの原因となる。従って、仕切壁５ｂの傾斜面の角度もあまり大きくできず、パチンコ玉を仕分け・整列するために必要な距離も長く必要となり、また、そのように移動距離が長くなることに加え、玉通路７が緩斜面となるので、移動速度が遅くなることも相俟って、整列させるのに時間がかかる。
【００１２】
また、図２から明らかなように、下皿２の直下のポケット部５ａは比較的広い面積を有し、下流側に行くに従って狭くすることにより、下流側で連続してパチンコ玉を搬送し、高速処理化を図るようにしているが、そうすると、ポケット部５ａに比較的多量のパチンコ玉が存在することになり、係る場合、図５，図６に示すように、玉通路７の入り口側でパチンコ玉が上下に重なった状態となる。そして、そのまま重なった状態でパチンコ玉を通過させると、玉詰まりの原因となるので、図示するように可動ガイド５ｃを設け、上側に位置するパチンコ玉が玉通路７に流れ込まないようにしている。つまり、上側のパチンコ玉８ｃは、可動ガイド５ｃに当接すると、ブレーキがかかるので、先行する下側のパチンコ玉８ｄが先に玉通路７内に進み、その後上側に位置したパチンコ玉８ｃが自重により下側に落ちてきて一列に並んだ状態で玉通路７内を進むことになる。この時、可動ガイド５ｃは、図中両方向矢印で示すように、正逆回転するようにし、当該箇所で玉詰まりするのを抑制している。
【００１３】
このように、玉通路７内を１列に進むようにするため、整列機構として正逆回転可能な可動ガイド５ｃが必要となり、部品点数の増加並びに装置の大型化を招く。
【００１４】
本発明は、上記した背景に鑑みてなされたもので、その目的とするところは、上記した問題を解決し、短い距離で確実に玉の仕分けを行い、所定の玉通路内を移動可能とし、また、装置全体の小型化・少部品点数化を図ることができ、玉詰まりの発生を可及的に抑制できるパチンコ玉通路の仕分け装置を提供することにある。
【００１５】
【課題を解決するための手段】
上記した目的を達成するために、第１の発明としては、仕切壁により分離され、下方へ傾斜する複数列の玉通路によってパチンコ玉を整列させて移動させるパチンコ玉通路の仕分け装置において、前記各玉通路は、それぞれパチンコ玉が前後方向に１列に整列した状態で移動されるように設定され、前記仕切壁の上流側に前記玉通路に対して相対的に上り坂となる傾斜面を設け、前記仕切壁の上面所定位置に、パチンコ玉の移動方向に沿って玉通路の底面に向けて下り坂となる斜面を形成し、そこから再び上り坂斜面からなる切欠部を有する仕分け部を設けるとともに、その仕分け部の下り坂となる斜面の傾斜角度を前記玉通路の傾斜角度より大きく設定し、前記傾斜面の上を移動するパチンコ玉を前記仕分け部の下り坂となる斜面を利用して加速落下させて、その仕切壁で仕切られたいずれかの玉通路に仕分けされるように構成した（請求項１）。
【００１６】
係る構成を採ると、仕切壁の上を移動してきたパチンコ玉は、仕分け部の斜面に沿って加速しながら落下移動するので、後ろに続くパチンコ玉から離れ、スムーズにいずれかの玉通路に流れ込み、仕分けされる。
【００１７】
また、第２の発明では、仕切壁により分離され、下方へ傾斜する複数列の玉通路によってパチンコ玉を整列させて移動させるパチンコ玉通路の仕分け装置において、前記各玉通路は、それぞれパチンコ玉が前後方向に１列に整列した状態で移動されるように設定され、前記仕切壁は、前記玉通路上を少なくとも上下２個で重なって移動してくるパチンコ玉の通過を許容する高さを有するとともに、その仕切壁の上面の一部に切欠部を有する仕分け部を設け、その切欠部は、上に重なっているパチンコ玉が左右いずれかの玉通路へ移動するのを許容し、前記玉通路の底面上を移動する下のパチンコ玉が別の玉通路へ移動するのを許容しないように設定した（請求項２）。
【００１８】
係る構成を採ると、上下に重なった状態で移動してきたパチンコ玉は、切欠部の位置に至ると、その上側のパチンコ玉が切欠部側に流れ込むため、隣接する玉通路側に移動したり、或いは仮に元の玉通路に戻ってきたとしても、下側を移動してきたパチンコ玉はそのまままっすぐに移動しているので時間差が生じ、スムーズに玉通路の底面に向けて流れ落ちる。これにより、上下に重なった状態が解消され、玉通路を一列に並んだ整列状態で移動できる。
【００１９】
さらに第３の発明では、複数並列に配置された仕切壁により分離され、下方へ傾斜する３列以上の玉通路によりパチンコ玉を整列させて移動させるパチンコ玉通路の仕分け装置において、
前記各玉通路は、それぞれパチンコ玉が前後方向に１列に整列した状態で移動されるように設定され、
前記仕切壁は、前記玉通路上を少なくとも上下２個で重なって移動してくるパチンコ玉の通過を許容する高さを有するとともに、その仕切壁の上面の一部に切欠部を有する仕分け部を設け、
その切欠部は、上に重なっているパチンコ玉が左右いずれかの玉通路へ移動するのを許容し、前記玉通路の底面上を移動する下のパチンコ玉が別の玉通路へ移動するのを許容しないように設定し、
かつ、前記各仕切壁に設けた前記切欠部の形成位置を、隣接する仕切壁でパチンコ玉の移動方向に沿って前後にずらすように構成した（請求項３）。
【００２０】
係る構成にすると、基本的な原理は、上記した第２の発明と同様にしてパチンコ玉の整列が行われ、しかも、切欠部を前後に面しているので１回目の切欠部でうまく仕分けされない（玉通路の底面に落下しない）場合でも、反対側の仕切壁に設けた切欠部により２回目の仕分け処理が行われるので、より確実に整列させることができる。
【００２１】
そして、上記第２，第３の発明を前提とし、さらに前記切欠部に対向する壁面に、前記上に重なっているパチンコ玉にのみ接触する突起部を設けるとよい（請求項４）。つまり、その突起部により、上に重なっているパチンコ玉は切欠部側に向けて移動する力を受けるので、上記した仕分け処理がより確実に行える。
【００２２】
さらにまた、上記した各発明を前提とし前記玉通路は、パチンコ玉を受ける玉通路板と、その玉通路板の両側に位置し、前記パチンコ玉の横方向の移動を抑制する前記仕切壁と側壁を備えるとともに、その玉通路板と前記仕切壁及び側壁との間には隙間が形成され、その隙間を介して異物を落下可能としており、かつ、前記仕切壁及び前記側壁の下端位置を前記玉通路板の上端よりも上側に位置した部分を設けると、異物の排出を行え、玉詰まりを防止できるので好ましい（請求項５）。
【００２３】
なお、独立項として記載された請求項１〜３（第１〜第３の発明）は、ともに仕切壁の上面に切り込みを設けることにより、上下に重なって移動する（第１の発明では、仕切壁の上を下側のパチンコ玉に押されるようにして移動する）もののパチンコ玉のうち、上側のパチンコ玉を玉通路の底面に接するように落下移動させるようにし、仕分け・整列するようにした点で共通している。
【００２４】
【発明の実施の形態】
図７，図８は、本発明が実装される装置の一例を示している。同図に示すように、パチンコ台の下皿１０の下方に上部開放した幅広の受け皿１２を有し、下皿１０から落下してくるパチンコ玉２０を受け皿１２にて受け取るようになっている。この受け皿１２の下流側に連続して形成された計数部１４が台サンド１５内に挿入固定される。そして、受け皿１２の下流側から計数部１４に続く２本の玉通路１６が設けられ、計数部１４内の玉通路１６の所定位置に計数センサ１７が設けられ、対向する玉通路とその玉通路１６を通過するパチンコ玉を検出し、通過した玉数を計数するようになっている。
【００２５】
そして、本発明に係るパチンコ玉通路の仕分け装置は、上記した玉通路１６内に組み込まれている。すなわち、玉通路１６は、受け皿１２の下流側の両側壁１２ａと、その間に配置された仕切壁１８とにより形成される。そして、図９，図１０に示すように、玉通路１６は、下方傾斜状（下流側が低くなる）に形成し、その玉通路１６に進入してきたパチンコ玉２０ａをスムーズに下流側に移動するようにしている。
【００２６】
また、仕切壁１８の上流側端部は傾斜部１８ａが設けられており、２つの玉通路１６にまたがるようにして進入してきたパチンコ玉２０ｂを、そのまま仕切壁１８に沿って上昇させながら下流側に向けて前進移動させ、その仕切壁１８の上流側端部でパチンコ玉が詰まるのを抑制している。係る構成は、従来のものと同様である。もちろん、仕切壁１８に沿って上昇移動するパチンコ玉２０ｂの搬送力は、その後ろに続く玉通路１６を移動するパチンコ玉２０ａから受けている。なお、本形態では、実際には仕切壁１８の上面は、地面（受け皿の上面）に対して水平にしている（玉通路１６の傾斜角度が小さくて、パチンコ玉２０ａから受ける搬送力が小さくても移動できるようにしている）が、玉通路１６を下降傾斜状にしたことにより、その玉通路１６に対して相対的に上昇する傾斜面となる。もちろん、地面に対して上昇させるようにしてもよい。
【００２７】
ここで本発明では、仕切壁１８の上面の一部を切り欠いて第１仕分け部２１を設けている。この第１仕分け部２１は、本形態では上り坂の傾斜部１８ａの途中に下り坂の斜面２１ａを設けることにより形成している。しかも、その傾斜角度θ１は、玉通路１６の傾斜角度θ２よりも大きくしている。なお、本発明では、このように傾斜部１８ａの途中に仕分け部２１を設ける必要はなく、傾斜部１８ａの下流側に設けてももちろんよい。
【００２８】
係る構成にすると、パチンコ玉２０ａに押されて仕切壁１８の上面に沿って移動してきたパチンコ玉２０ｂが下方傾斜状の斜面からなる第１仕分け部２１に至ると、その斜面に沿って自重に従い落下移動する。つまり、この第１仕分け部２１に至る前までは、パチンコ玉２０ｂは、自ら移動する搬送力が得られなかったが、第１仕分け部２１で落下することにより、後ろのパチンコ玉２０ａからの搬送力を受けなくても前進移動可能となる。しかも、本形態では第１仕分け部２１の傾斜角度θ１の方が玉通路１６の傾斜角度θ２よりも大きくしたため、パチンコ玉２０ｂは加速して移動するので、パチンコ玉２０ａの移動速度よりも早くなり、離れるようにして進む。そして、その下降移動に伴う勢いにより左右のいずれかの玉通路１６に仕分けされる。
【００２９】
そのようにして仕分けされた後は、最初から玉通路１６に進入してきたパチンコ玉２０ａと同様に玉通路１６に沿って進み、計数部１４に至り計数される。そして、本形態では、第１仕分け部２１を設けたことにより、確実に短い距離でもって仕分けしてパチンコ玉を整列させることができるので、図７，図８に示したように、従来に比べて玉通路を短くすることが可能となる。もちろん、従来と同様の長さからなる玉通路（例えば図２，図１１，図１２等参照）にも適用できるのはもちろんである。
【００３０】
図１１，図１２は、本発明が適用される別の構造を示している。すなわち、図示する構造は、従来のものと比較的似ており、受け皿１２の下流側が徐々に狭くなり、玉通路１６に至る。そして、玉通路１６は、受け皿１２から続く比較的長めの直線部分と、それに続くカーブして進行方向を約９０度変更する部分などを備えている。そして、図１２から明らかなように、玉通路１６の直線部分は、所定角度で下方傾斜している。
【００３１】
図１３に示すように、本形態における仕切壁１８は、上流側に傾斜部１８ａを設ける点は上記した第１の実施の形態と同様である。そして、中間地点の上面にＶ字状の切欠部２３を形成している。この切欠部２３の下端は、第１の実施の形態のように玉通路１６の底面にまでは達していない。よって、下側のパチンコ玉は切欠部２３の影響を受けることなくまっすぐに進む。
【００３２】
そして、本形態の特徴としては、切欠部２３を設けた仕切壁１８に対向する側壁２５に、突起部２６を設けている。この突起部２６は、玉通路１６内を１列に並んで進むパチンコ玉は接触せず、玉通路１６内を上下に重なって移動してきたパチンコ玉は、その上側に位置するパチンコ玉２０ｃのみが突起２６に接触する（下側を移動してきたパチンコ玉２０ｄは接触しない）ような位置に形成している。そして、この切欠部２３と突起部２６にて第２仕分け部を構成している。
【００３３】
係る構成にしたことにより、図１１に示すように、仕切壁１８の上に沿って移動してくるパチンコ玉２０ｂは、従来と同様に傾斜部１８ａを移動しながら左右いずれかの玉通路１６に仕分けされる。
【００３４】
そして、本形態では、図１３，図１４に示したように、１つの玉通路１６の上にパチンコ玉が上下に重なった状態で移動してきた場合には、図１６に示すように上に重なっているパチンコ玉２０ｃのみが突起部２６に当たり、その進路を内側（仕切壁１８側）に変えられる。そして、突起部２６を形成した位置には、切欠部２３を設けているので、進路を変えられたパチンコ玉２０ｃはその切欠部２３を通って反対側の玉通路１６に流れ込むか、或いは仕切壁１８に当たって再度もとの玉通路１６に戻るかする。
【００３５】
一方、上下に重なったパチンコ玉のうち、下側のパチンコ玉２０ｄは、突起部２６に当たらないので、そのまま玉通路１６を移動していく。従って、上側のパチンコ玉２０ｃが再び元の玉通路１６に戻ってきたとしても下側のパチンコ玉２０ｄとは時間差が生じるので、遅れてきたパチンコ玉２０ｃが玉通路１６の底面に接するように流れ落ちる。これにより、上下に重なって移動する状態を解消でき、整列状態で移動させることができる。つまり、従来では、整列するための可動ガイドを設けていたが、本形態では、仕切壁に切欠部２３を設けるとともに、突起部２６を設けるといった簡単な構成でもって、上下に重なって移動し、玉詰まりを起こすことを未然に防止できる。
【００３６】
なお、このように突起部２６を設けることにより、確実にパチンコ玉２０ｃを一旦切欠部２３内に進入させて仕分け処理をスムーズに行うことができるが、本発明はこれに限ることはなく、突起部を設けなくてもよい。つまり、仮に突起部がなくても、上側を流れるパチンコ玉２０ｃは、切欠部２３の形成箇所に来ると、進行方向両側のうち片側の側壁２５とのみ接触し、反対側の切欠部２３は仕切壁１８がないため、切欠部２３側に移動しようとするからである。
【００３７】
図１７，図１８は、本発明の第３の実施の形態を示している。同図に示すように、本形態では、上記した各実施の形態と相違して、玉通路１６を３列設けている。これに伴い、仕切壁１８は２枚設けている。そして、本実施の形態では、各仕切壁１８にそれぞれ切欠部３０ａ，３０ｂを設けている。しかも、各切欠部３０ａ，３０ｂを設ける位置を進行方向でずらしている。
【００３８】
係る構成にすると、図１９に示すように、切欠部３０ａ，３０bをずらすことにより、各玉通路１６内を上下に重なった状態で移動しているパチンコ玉のうち、上側のパチンコ玉は切欠部３０ａ，３０ｂの位置に来ると、第２の実施の形態と同様に、その切欠部３０ａ，３０ｂ内に向けて斜め前下方に移動しようとする。ところで、図示するように真ん中の通路を移動する上側のパチンコ玉２０ｅが切欠部３０ａの仕分け効果により隣の玉通路（通路Ａ）１６に流れ込もうとした時に、その隣の玉通路（通路Ａ）１６にも上下に重なった状態のパチンコ玉２０ｆが存在し、そのパチンコ玉２０ｆが仕切壁１８（切欠部３０ａ）側によって移動している時には、パチンコ玉２０ｅはパチンコ玉２０ｆにより玉通路（通路Ａ）１６側への移動が阻止される。しかし、係る移動が阻止されたパチンコ玉２０ｅであっても、本形態では、切欠部３０ａ，３０ｂを前後にずらして形成したため、反対側の仕切壁１８に形成した切欠部３０ｂにより、反対側の玉通路（通路Ｃ）１８或いは元の中央の玉通路（通路Ｂ）１８に仕分けされる。これにより、３列以上の玉通路であっても、スムーズに仕分け・整列処理ができる。
【００３９】
また、具体的な図示は省略するが、上記した第２の実施の形態と同様に、切欠部３０ａ，３０ｂに対向する壁面に突起部を設けてももちろんよい。
【００４０】
ところで、玉通路１６は、例えば図２０に示すように側壁２５と仕切壁１８の中間に、玉通路板４０を配置し、玉通路板４０にてパチンコ玉２０の下面を支持して落下を防止し、側壁２５と仕切壁１８により両側方に接触して横移動を防止することにより構成している。そして、側壁２５，仕切壁１８と、玉通路板４０の間には所定の隙間４１を設けている。これにより、玉通路１６内に異物（例えばコインなど）４２が進入してきたとしても、図２１に示すように、隙間４１から下方に落下するので、問題がない。
【００４１】
上記した図２１のように、仕切壁１８に接触しない上流側や、完全に仕切壁１８の設置位置に入り込んだ、異物４２は仕切壁１８，側壁２５に案内されて隙間４１から落下・排出することができる。しかし、例えば図２２に示すように、仕切壁１８の傾斜面１８ａの位置でコインなどの異物４２が引っかかると、仕切壁１８の傾斜面１８ａ，玉通路板４０のエッジが異物４２に引っかかり、さらにその異物４２のエッジが側壁２５に引っかかることがあり、そうすると、異物４２が隙間４１から落下・除去できなくなる。
【００４２】
そこで、本発明に係る第４の実施の形態では、図２３に示すように、仕切壁１８の下面側を除去して切欠部４５を設けた。そして、仕切壁１８の下端１８ｂは、玉通路板４０の上端よりも上方に位置するように設定している。同様に、側壁２５の対応する下面も切欠部４５を設け、その下端２５ａは、玉通路板４０の上端よりも上方に位置するように設定している。係る構成にすることにより、図２４に示すように、異物４２が仕切壁１８，側壁２５と接触する部分が少なくなり、切欠部４５を介して下方に落下・排出することができ、異物４２が玉通路１６内で詰まることを可及的に抑制できる。そして、この第４の実施の形態の構成は、上記した各実施の形態に適用できる。また、パチンコ玉２０は、通常通り玉通路１６上を移動できる。
【００４３】
【発明の効果】
以上のように、本発明に係るパチンコ玉通路の仕分け装置では、仕切壁の上面所定位置に切り込みからなる仕分け部を設けたため、玉通路の底面から浮いた状態で移動するパチンコ玉は、切り込みにより下側に向けて落下移動され、玉通路の底面に接するようになる。よって、短い距離で確実に玉の仕分けを行い、所定の玉通路内を１列に並んだ状態で移動可能とし、また、装置全体の小型化・少部品点数化を図ることができ、玉詰まりの発生を可及的に抑制することができる。そして、請求項５のようにすると、異物による玉詰まりの発生も抑制できる。
【図面の簡単な説明】
【図１】従来例を示す図である。
【図２】従来例を示す図である。
【図３】従来例を示す図である。
【図４】従来例を示す図である。
【図５】従来例を示す図である。
【図６】従来例を示す図である。
【図７】本発明が適用される装置構造の一例を示す平面図である。
【図８】本発明が適用される装置構造の一例を示す側面図である。
【図９】本発明の第１の実施の形態を示す平面図である。
【図１０】本発明の第１の実施の形態を示す正面図である。
【図１１】本発明が適用される装置構造の他の例を示す平面図である。
【図１２】本発明が適用される装置構造の他の例を示す側面図である。
【図１３】本発明の第２の実施の形態を示す平面図である。
【図１４】本発明の第２の実施の形態を示す正面図である。
【図１５】本発明の第２の実施の形態の作用を説明する図である。
【図１６】本発明の第２の実施の形態の作用を説明する図である。
【図１７】本発明の第３の実施の形態を示す平面図である。
【図１８】本発明の第３の実施の形態を示す正面図である。
【図１９】本発明の第３の実施の形態の作用を説明する図である。
【図２０】玉通路部の構造を説明する図である。
【図２１】玉通路部に設けた異物排出機構を説明する図である。
【図２２】図２１の異物排出機構の問題点を説明する図である。
【図２３】本発明の第４の実施の形態を示す正面図である。
【図２４】本発明の第４の実施の形態を示す図である。
【符号の説明】
１６  玉通路
１８  仕切壁
１８ａ  傾斜部
１８ｂ  下端
２０  パチンコ玉
２１  第１仕分け部
２１ａ  斜面
２３  切欠部
２５  側壁
２５ａ  下端
２６  突起部
３０ａ，３０ｂ  切欠部
４０  玉通路板
４１  隙間
【図１】
0003788002.tif 000002
【図２】
0003788002.tif 000003
【図３】
0003788002.tif 000004
【図４】
0003788002.tif 000005
【図５】
0003788002.tif 000006
【図６】
0003788002.tif 000007
【図７】
0003788002.tif 000008
【図８】
0003788002.tif 000009
【図９】
0003788002.tif 000010
【図１０】
0003788002.tif 000011
【図１１】
0003788002.tif 000012
【図１２】
0003788002.tif 000013
【図１３】
0003788002.tif 000014
【図１４】
0003788002.tif 000015
【図１５】
0003788002.tif 000016
【図１６】
0003788002.tif 000017
【図１７】
0003788002.tif 000018
【図１８】
0003788002.tif 000019
【図１９】
0003788002.tif 000020
【図２０】
0003788002.tif 000021
【図２１】
0003788002.tif 000022
【図２２】
0003788002.tif 000023
【図２３】
0003788002.tif 000024
【図２４】
0003788002.tif 000025